(57)【要約】 【課題】  簡素な構成によって、生産性の向上を図ることができるとともに、安価に、しかも高い強度を有する補強積層体、同梱ケースおよび梱包装置を提供する。【解決手段】  段ボールのブランク２０に切欠き３８，３９を形成し、切欠き部４０，４１を折り曲げて反転し、係合片展開板３６，３７を切欠き部４０，４１上に重なるように折り曲げて、三重構造の補強積層体８０を有する係合片１１ａ，１１ｂを形成する。【選択図】      図３
2007161272.tif 000002
【特許請求の範囲】
【請求項１】
底部と、前記底部の周縁部分に連なる周壁とを有する箱体の一部を補強するための補強積層体において、
前記補強積層体は、単一枚の折り返し可能な薄板材料から形成され、かつ前記薄板材料の一部を切欠いて形成される切欠き部を折り返すことによって、少なくとも三重に積層されていることを特徴とする補強積層体。
【請求項２】
前記薄板材料は、段ボールであることを特徴とする請求項１記載の補強積層体。
【請求項３】
被収容物を収納する梱包ケース内に、前記梱包ケース内で前記被収容物を保持する緩衝部材とともに収納され、前記被収容物に付随する付属部品を収納する同梱ケースにおいて、
前記同梱ケースは、前記緩衝部材に係合する係合片を有し、
前記係合片は、単一枚の折り返し可能な薄板材料から形成される補強積層体を有し、前記補強積層体は、前記薄板材料の一部を切欠いて形成される切欠き部を折り返すことによって、少なくとも三重に積層されていることを特徴とする同梱ケース。
【請求項４】
前記同梱ケースは、前記係合片が一体的に連なり、前記付属部品を収納する同梱ケース本体を有し、
前記係合片は、前記同梱ケース本体から突出し、前記突出する方向に垂直な断面がＬ字状に屈曲して形成されることを特徴とする請求項３記載の同梱ケース。
【請求項５】
前記係合片は、前記同梱ケース本体から突出し、かつ前記突出する方向に沿った一側部を有し、前記一側部は、前記同梱ケースに連なる基端部から遊端部に向かって、前記突出する方向に垂直な断面が減少するように傾斜して形成されることを特徴とする請求項３または４記載の同梱ケース。
【請求項６】
前記薄板材料は、段ボールであることを特徴とする請求項３〜５のいずれか１つに記載の同梱ケース。
【請求項７】
被収容物を収納する梱包ケース内に、前記梱包ケース内で前記被収容物を保持する緩衝部材とともに収納され、前記被収容物に付随する付属部品を収納する同梱ケースにおいて、
前記同梱ケースは、前記緩衝部材に係合する係合片と、前記係合片が一体的に連なり、前記付属部品を収納する同梱ケース本体とを有し、
前記係合片は、単一枚の折り返し可能な薄板材料から形成される補強積層体を有し、前記補強積層体は、前記薄板材料に一部を切欠いて形成される切欠き部を折り返すことによって、少なくとも三重に積層され、
前記同梱ケース本体は、前記付属部品を収納するための凹状部を有し、前記凹状部の長手方向途中位置には、断面Ｌ字状の鉤状部が突出し、
前記鉤状部には、前記凹状部を前記長手方向に対して垂直に仕切るフラップが設けられることを特徴とする同梱ケース。
【請求項８】
被収容物を収納し、折り返し可能な薄板材料から形成される梱包ケースと、
前記梱包ケース内で被収容物を保持する緩衝部材と、
前記被収容物に付随する付属部品を収納する同梱ケースであって、前記緩衝部材に係合する係合片を有し、折り返し可能な薄板材料から形成される同梱ケースとを含む梱包装置において、
前記係合片は、単一枚の前記薄板材料から形成された補強積層体を有し、前記補強積層体は、前記薄板材料の一部を切欠いて形成される切欠き部を折り返すことによって、少なくとも三重に積層されていることを特徴とする梱包装置。
【請求項９】
前記同梱ケースは、前記係合片が一体的に連なり、前記付属部品を収納する同梱ケース本体を有し、
前記係合片は、前記同梱ケース本体から突出し、前記突出する方向に垂直な断面がＬ字状に屈曲して形成されることを特徴とする請求項８記載の梱包装置。
【請求項１０】
前記係合片は、前記同梱ケース本体から突出し、かつ前記突出する方向に沿った一側部を有し、前記一側部は、前記同梱ケースに連なる基端部から遊端部に向かって、前記突出する方向に垂直な断面が減少するように傾斜して形成されることを特徴とする請求項８記載の梱包装置。
【請求項１１】
前記梱包ケースには、前記被収容物の上部を保持する一対の上部緩衝部材と、前記被収容物の下部を保持する一対の下部緩衝部材とが収容され、
前記同梱ケースは、前記一対の上部緩衝部材のいずれかの一方に係合する上部係合片と、前記一対の下部緩衝部材のいずれか一方に係合する下部係合片とを有することを特徴とする請求項９または１０記載の梱包装置。
【請求項１２】
前記薄板材料は、段ボールであることを特徴とする請求項８〜１１のいずれか１つに記載の梱包装置。
【請求項１３】
被収容物を収納し、折り返し可能な薄板材料から形成される梱包ケースと、
前記梱包ケース内で被収容物を保持する緩衝部材と、
前記被収容物に付随する付属部品を収納する同梱ケースであって、前記緩衝部材に係合する係合片と、前記係合片が一体的に連なり、前記付属部品を収納する同梱ケース本体とを有し、折り返し可能な薄板材料から形成される同梱ケースとを含む梱包装置において、
前記係合片は、単一枚の折り返し可能な薄板材料から形成される補強積層体を有し、前記補強積層体は、前記薄板材料に一部を切欠いて形成される切欠き部を折り返すことによって、少なくとも三重に積層され、
前記同梱ケース本体は、前記付属部品を収納するための凹状部を有し、前記凹状部の長手方向途中位置には、断面Ｌ字状の鉤状部が突出し、
前記鉤状部には、前記凹状部を前記長手方向に対して垂直に仕切るフラップが設けられることを特徴とする梱包装置。
【発明の詳細な説明】
【技術分野】
【０００１】
本発明は、補強積層体、同梱ケースおよび梱包装置に関し、さらに詳しくは、段ボール箱の一部を補強する補強積層体、前記補強積層体を有し、家電製品などの製品本体に付随する付属部品を収納するための同梱ケース、および前記製品本体を同梱ケースとともに収納するための梱包ケースを含む梱包装置に関する。
【背景技術】
【０００２】
従来から、被収容物であるたとえば薄型テレビジョン受像機などの大型家電製品は、大きな梱包装置で構成されている。前記梱包装置は、前記薄型テレビジョン受像機の本体などの被収容物を収納する梱包ケースと、梱包ケース内で前記被収容物を保持する緩衝部材と、被収容物に付随するリモコンおよび電源コードなどの付属部品を収納し、前記梱包ケース内に緩衝部材によって保持された状態で収納される同梱ケースとを含んで構成され、これらの梱包ケースおよび同梱ケースは、いずれも段ボールなどの折り返し可能な薄板材料から製造されている。
【０００３】
代表的な同梱ケースは、単一枚の段ボール材料から形成され、被収容物である製品本体の付属部品を収納する収納部と、前記収納部を製品本体の梱包ケースである梱包箱内の所定位置に保持するヒレ状の保持部とを有し、収納部の底となる矩形底面に四辺に、周壁となる左側面、右側面、前側面および後側面が折り目を介して連設され、右側面には蓋面が折り目を介して連設される（特許文献１、参照）。
【０００４】
この特許文献１の開示によれば、被収容物を収納する箱状の収納部の両端部に、各側面からそれぞれ突出する三角形の重合片を一体に連設することによって、前記収納部を補強することが提案されている。
【０００５】
また、前記段ボール箱によって実現される従来の梱包装置は、たとえば特許文献２に記載されている。前記従来技術では、箱状に形成された段ボール製底板と、底板内の左右に配置され、被収容物である機器本体を載置する緩衝部材である下部緩衝体と、前記機器本体の上部左右に配置される一対の上部緩衝体と、下部を前記底板の角隅部と下部緩衝体との間に挿入され、上部内面を前記上部緩衝体の外側の角隅部に当接するように、四隅に立設される断面Ｌ字状の段ボール製支柱と、箱状に形成される前記上部緩衝体に被せられる段ボール製天板と、天板と底板とを締結するバンドとによって構成される空気調和機の梱包装置が記載されている。
【０００６】
このような従来の梱包装置において、前記底板の四隅には、断面Ｌ字状のコーナパットが設けられ、底板の一部を切欠いて形成される切欠き部を前記コーナパットの垂直部に折り返して積重し、前記支柱の当接する箇所を補強することが記載されている。
【０００７】
前記特許文献１に記載される従来技術では、前記ヒレ状保持部は段ボールを単に折り返した構造であるため、大きな強度を得ることができないという問題がある。特に、家電製品などの付属部品を収納する同梱ケースでは、その長手方向を縦にして、梱包ケース内に収納される場合、前記ヒレ状保持部は大きな強度が要求される。
【０００８】
すなわち、家電製品などのような被収容物は、機器本体と同梱ケースとパッキン材などの緩衝部材とを、梱包ケースに収納した後、半Ａ式外装ケースによって前記梱包ケース全体を覆っている。このような状態から、家電製品等を取り出す場合、まず、前記半Ａ式外装ケースを上方に引き抜くと、強度不十分のため、同梱ケースが転倒し、その結果、同梱ケース内に収納されるリモコン等の付属部品が破損してしまうという問題が生じる。
【０００９】
また、前記特許文献２に記載される従来技術では、底板の支柱が当接する箇所を三重構造にして補強する構成が提案されるが、１枚の段ボールから成るブランクから形成されたものではなく、コーナパットを段ボールの切欠き部によって挟持した構成であるため、補強のための部品点数が多く、製造工程が複雑化して生産性が悪く、製造コストが高価になってしまうという問題がある。
【００１０】
【特許文献１】特開平１０−２１８１６４号公報
【特許文献２】特開２００２−１７９１７８号公報
【発明の開示】
【発明が解決しようとする課題】
【００１１】
本発明の課題は、簡素な構成によって、生産性の向上を図ることができるとともに、安価に、しかも高い強度を有する補強積層体、同梱ケースおよび梱包装置を提供することである。
【課題を解決するための手段】
【００１２】
本発明は、底部と、前記底部の周縁部分に連なる周壁とを有する箱体の一部を補強するための補強積層体において、
前記補強積層体は、単一枚の折り返し可能な薄板材料から形成され、かつ前記薄板材料の一部を切欠いて形成される切欠き部を折り返すことによって、少なくとも三重に積層されていることを特徴とする補強積層体である。
【００１３】
また本発明の補強積層体は、前記薄板材料が段ボールであることを特徴とする。
本発明に従えば、底部と周壁とを有する薄板材料の一部が補強積層体によって補強される。前記補強積層体は、前記薄板材料の一部を切欠いて形成される切欠き部を折り返すことによって、少なくとも三重に積層されるので、別部品を用いることなく、１枚のブランクに切欠きを形成し、周囲から分離された切欠き部を少なくとも三重に折り曲げて積層することによって、容易に補強積層体を形成することができる。これによって、部品点数を増加させずに、したがって製造工程を増加させずに、強度が向上された箱体を容易にかつ安価に実現することができる。
【００１４】
このような補強積層体を有する箱体は、たとえば家電製品の付属部品等を収納する同梱ケースであってもよく、家電製品の機器本体を同梱ケースおよび緩衝部材などとともに収納する梱包ケースであってもよい。
【００１５】
また本発明は、被収容物を収納する梱包ケース内に、前記梱包ケース内で前記被収容物を保持する緩衝部材とともに収納され、前記被収容物に付随する付属部品を収納する同梱ケースにおいて、
前記同梱ケースは、前記緩衝部材に係合する係合片を有し、
前記係合片は、単一枚の折り返し可能な薄板材料から形成される補強積層体を有し、前記補強積層体は、前記薄板材料の一部を切欠いて形成される切欠き部を折り返すことによって、少なくとも三重に積層されていることを特徴とする同梱ケースである。
【００１６】
また本発明の同梱ケースは、前記係合片が一体的に連なり、前記付属部品を収納する同梱ケース本体を有し、
前記係合片は、前記同梱ケース本体から突出し、前記突出する方向に垂直な断面がＬ字状に屈曲して形成されることを特徴とする。
【００１７】
また本発明の同梱ケースは、前記係合片は、前記同梱ケース本体から突出し、かつ前記突出する方向に沿った一側部を有し、前記一側部は、前記同梱ケースに連なる基端部から遊端部に向かって、前記突出する方向に垂直な断面が減少するように傾斜して形成されることを特徴とする。
【００１８】
また本発明の同梱ケースは、前記同梱ケース本体同梱ケース本体薄板材料が段ボールであることを特徴とする。
【００１９】
また本発明は、被収容物を収納する梱包ケース内に、前記梱包ケース内で前記被収容物を保持する緩衝部材とともに収納され、前記被収容物に付随する付属部品を収納する同梱ケースにおいて、
前記同梱ケースは、前記緩衝部材に係合する係合片と、前記係合片が一体的に連なり、前記付属部品を収納する同梱ケース本体とを有し、
前記係合片は、単一枚の折り返し可能な薄板材料から形成される補強積層体を有し、前記補強積層体は、前記薄板材料に一部を切欠いて形成される切欠き部を折り返すことによって、少なくとも三重に積層され、
前記同梱ケース本体は、前記付属部品を収納するための凹状部を有し、前記凹状部の長手方向途中位置には、断面Ｌ字状の鉤状部が突出し、
前記鉤状部には、前記凹状部を前記長手方向に対して垂直に仕切るフラップが設けられることを特徴とする同梱ケースである。
【００２０】
本発明に従えば、被収容物を収納する梱包ケース内に緩衝部材とともに収納される同梱ケースに、前記緩衝部材に係合する係合片が形成される。前記係合片は、単一枚の段ボールなどの薄板材料の一部を切欠いて形成される切欠き部を折り返すことによって、少なくとも三重に積層されるので、別部品を用いることなく、１枚のブランクに切欠きを形成し、周囲から分離された切欠き部を折り曲げることによって、容易に補強部を形成することができる。これによって、部品点数を増加させずに、したがって製造工程を増加させずに、強度が向上された同梱ケースを容易にかつ安価に実現することができる。
【００２１】
また前記同梱ケースにおいて、前記付属部品を収納するための凹状部を有し、前記凹状部の長手方向途中位置には、断面Ｌ字状の鉤状部が突出し、前記鉤状部には、前記凹状部を前記長手方向に対して垂直に仕切るフラップが設けられるので、前記凹状部内に収納された付属部品を前記鉤状部によって支持されたフラップによって大きな強度で支持することができるとともに、前記付属部品の変位を確実に阻止することができる。さらに前記付属部品が運搬時などに振動しても、前記付属部品の振動を緩衝して、付属部品の故障および損傷を防止することができる。
【００２２】
さらに本発明は、被収容物を収納し、折り返し可能な薄板材料から形成される梱包ケースと、
前記梱包ケース内で被収容物を保持する緩衝部材と、
前記被収容物に付随する付属部品を収納する同梱ケースであって、前記緩衝部材に係合する係合片を有し、折り返し可能な薄板材料から形成される同梱ケースとを含む梱包装置において、
前記係合片は、単一枚の前記薄板材料から形成された補強積層体であって、前記薄板材料の一部を切欠いて形成される切欠き部を折り返すことによって、少なくとも三重に積層されている補強積層体を有することを特徴とする梱包装置である。
【００２３】
また本発明の梱包装置は、前記同梱ケースが、前記係合片が一体的に連なり、前記付属部品を収納する同梱ケース本体を有し、
前記係合片は、前記ケース本体から突出し、前記突出する方向に垂直な断面がＬ字状に屈曲して形成されることを特徴とする。
【００２４】
また本発明の梱包装置は、前記係合片は、前記同梱ケース本体から突出し、かつ前記突出する方向に沿った一側部を有し、前記一側部は、前記同梱ケースに連なる基端部から遊端部に向かって、前記突出する方向に垂直な断面が減少するように傾斜して形成されることを特徴とする。
【００２５】
また本発明の梱包装置は、前記梱包ケースには、前記被収容物の上部を保持する一対の上部緩衝部材と、前記被収容物の下部を保持する一対の下部緩衝部材とが収容され、
前記同梱ケースは、前記一対の上部緩衝部材のいずれかの一方に係合する上部係合片と、前記一対の下部緩衝部材のいずれか一方に係合する下部係合片とを有することを特徴とする。
【００２６】
また本発明の梱包装置は、前記薄板材料が段ボールであることを特徴とする。
また本発明は、被収容物を収納し、折り返し可能な薄板材料から形成される梱包ケースと、
前記梱包ケース内で被収容物を保持する緩衝部材と、
前記被収容物に付随する付属部品を収納する同梱ケースであって、前記緩衝部材に係合する係合片と、前記係合片が一体的に連なり、前記付属部品を収納する同梱ケース本体とを有し、折り返し可能な薄板材料から形成される同梱ケースとを含む梱包装置において、
前記係合片は、単一枚の折り返し可能な薄板材料から形成される補強積層体を有し、前記補強積層体は、前記薄板材料に一部を切欠いて形成される切欠き部を折り返すことによって、少なくとも三重に積層され、
前記同梱ケース本体は、前記付属部品を収納するための凹状部を有し、前記凹状部の長手方向途中位置には、断面Ｌ字状の鉤状部が突出し、
前記鉤状部には、前記凹状部を前記長手方向に対して垂直に仕切るフラップが設けられることを特徴とする梱包装置である。
【００２７】
本発明に従えば、梱包ケースには緩衝部材と同梱ケースとが収納され、緩衝部材に被収容物が保持されるとともに、前記同梱ケースが保持される。前記同根ケースは、単一枚の段ボールなどの薄板材料から成り、少なくとも三重に折り返して積層されている補強積層体が形成された係合片を有する。前記係合片が前記緩衝部材に係合することによって、同梱ケースは梱包ケース内で位置決めされ、荷重に対して大きな強度で抗することができる。
【００２８】
このような補強積層体は、単一枚の薄板材料の一部を切欠いて形成される切欠き部を折り返すことによって、少なくとも三重に積層されるので、別部品を用いることなく、１枚のブランクに切欠きを形成し、周囲から分離された切欠き部を折り曲げることによって、容易に形成することができる。これによって、部品点数を増加させずに、したがって製造工程を増加させずに、強度が向上された同梱ケースを容易にかつ安価に実現し、前記同梱ケースを含む梱包装置を容易にかつ安価に実現することができる。
【００２９】
また本発明の梱包装置において、前記付属部品を収納するための凹状部を有し、前記凹状部の長手方向途中位置には、断面Ｌ字状の鉤状部が突出し、前記鉤状部には、前記凹状部を前記長手方向に対して垂直に仕切るフラップが設けられるので、前記凹状部内に収納された付属部品を前記鉤状部によって支持されたフラップによって大きな強度で支持することができるとともに、前記付属部品の変位を確実に阻止することができる。さらに前記付属部品が運搬時などに振動しても、前記付属部品の振動を緩衝して、付属部品の故障および損傷を防止することができる。
【発明の効果】
【００３０】
本発明によれば、別部品を用いることなく、１枚のブランクから補強部を形成することができるので、部品点数を増加させずに、したがって製造工程を複雑化せずに、容易に強度が向上された補強積層体、同梱ケースおよび梱包装置を製造できるという、技術的効果を奏することができる。
【発明を実施するための最良の形態】
【００３１】
以下、発明を実施するための最良の形態を説明するが、本発明は、これら実施形態に限定されるものではない。なお、以下の説明では、折り返し可能な薄板材料として段ボール製ブランク２０を使用した実施形態を説明する。
【００３２】
図１は、本発明の実施の一形態の梱包装置１を示す分解斜視図である。家電製品などの被収容物２を梱包するために、軽量かつ安価で緩衝効果の高い段ボール箱が多用されている。本実施の形態では、一例として薄型テレビジョン受像機などによって代表される大形で重量の大きい被収容物２を収納する梱包装置１について説明する。本実施の形態において、被収容物２は、薄型テレビジョン受像機１だけを想定し、梱包ケース６に収納される同梱ケース４および複数の緩衝部材５ａ〜５ｄは除外する。
【００３３】
本実施の形態の梱包装置１は、被収容物２を収納する梱包ケース６と、前記梱包ケース６内で被収容物２を保持する緩衝部材５ａ〜５ｄと、前記被収容物２に付随する付属部品を収納する同梱ケース４であって、前記緩衝部材５ａ〜５ｄに係合する係合片１１ａ，１１ｂを有する同梱ケース４とを含む梱包装置において、前記係合片１１ａ，１１ｂは、単一枚の前記薄板材料から形成された後述（図５参照）の補強積層体８０を有し、前記補強積層体８０は、前記薄板材料の一部を切欠いて形成される切欠き部４０，４１を折り返すことによって、少なくとも三重に積層されている。
【００３４】
また、前記同梱ケース４は、前記係合片１１ａ，１１ｂが一体的に連なり、前記付属部品を収容する同梱ケース本体１０を有し、前記係合片１１ａ，１１ｂは、前記同梱ケース本体１０から突出し、前記突出する方向に垂直な断面がＬ字状に屈曲して形成される。
【００３５】
さらに、前記係合片１１ａ，１１ｂは、前記同梱ケース本体１０から突出し、かつ前記突出する方向に沿った一側部８５を有する。前記一側部８５は、前記同梱ケース４に連なる基端部から遊端部に向かって、前記突出する方向に垂直な断面が減少するように傾斜して形成される。
【００３６】
さらに、前記梱包ケース６には、前記被収容物２の上部を保持する一対の上部緩衝部材５ａ，５ｂと、前記被収容物２の下部を保持する一対の下部緩衝部材５ｃ，５ｄとが収容され、前記同梱ケース４は、前記一対の上部緩衝部材５ａ，５ｂのいずれかの一方に係合する上部係合片１１ａと、前記一対の下部緩衝部材５ｃ，５ｄのいずれか一方に係合する下部係合片１１ｂとを有する。
【００３７】
このように前記梱包装置１は、被収容物２に付随するたとえばリモコンおよび電源コードなど付属部品を収納する同梱ケース４と、被収容物２の上下両側の部分を保持する複数（本実施の形態では４）の緩衝部材５ａ，５ｂ，５ｃ，５ｄと、被収容物２、すなわち薄型テレビジョン受像機が各緩衝部材５ａ〜５ｄおよび前記同梱ケース４とともに収納される梱包ケース６とによって構成される。
【００３８】
前記梱包ケース６は、例えば、梱包ケース下箱７に上方から梱包ケース上箱８を装着する、いわゆるテレスコープ形段ボール箱によって形成される。本発明に実施の他の形態では、この梱包ケース上箱８を用いずに、天井面をテープ貼りしてもよい。
【００３９】
前記同梱ケース４は、前記薄板材料である段ボールによって実現される。また各緩衝部材５ａ〜５ｄは、発泡合成樹脂から成る成形物によって実現される。これらの緩衝部材５ａ〜５ｄのうち、梱包ケース６の梱包ケース下箱７内の緩衝部材５ｄと、梱包ケース上箱８内の片側に配置される一方の緩衝部材５ｂとの間には、前記同梱ケース４がその長手方向を上下にして保持される。
【００４０】
図２は、同梱ケース４と下方の緩衝部材５ｄとを示す斜視図である。前記同梱ケース４は、前記付属部品を収納する中空の直方体状の同梱ケース本体１０と、同梱ケース本体１０の長手方向（図２の上下方向）両端部からそれぞれ突出する断面Ｌ字状の係合片１１ａ，１１ｂとを有する。
【００４１】
また、前記下方の緩衝部材５ｄは、被収容物２の一部が嵌まり込む嵌合凹所１２と、前記同梱ケース４の前記下部係合片１１ｂが嵌まり込んで係合する係合凹所１３とが形成される。前記係合凹所１３は、上方の嵌合部材５ｂにも同様に形成され、前記上部係合片１１ａが嵌まり込んで係合する。
【００４２】
図３は、同梱ケース４を展開したブランク２０を示す外装ライナを手前にした正面図である。図２をも参照して、前記同梱ケース４は、単一枚の薄板材料である段ボールを打ち抜いた１枚のブランク２０を、同図に破線で示される折曲げ線に沿って、底板２４が図３の紙面に垂直手前側となるように折り曲げることによって、立体的に組み立てられる。
【００４３】
前記ブランク２０は、段ボールの断面が凹凸状の中芯２１の前記凹凸が繰り返される方向である流れ方向ＭＤに垂直な方向ＴＤに沿って、外蓋２２、第１側板２３、底板２４、第２側板２５、内蓋２６、第１仕切り板２７および第２仕切り板２８を有する。
【００４４】
前記外蓋２２の長辺側の一側縁部には、差込みフラップ３０が連なって形成され、前記差込みフラップ３０から前記外蓋２２にわたって形成される凹状の切欠き３１によって、差込み板３２が形成される。差込み板３２には、円形の一部を成す指穴３３が形成される。前記外蓋２２にはまた、円形ののぞき穴３４、および楕円形ののぞき穴３５が形成される。
【００４５】
前記外蓋２２および第１側板２３の長手方向両端部には、係合片展開板３６，３７が前記外蓋２２および第１側板２３に連なって、それぞれ形成される。各係合片展開板３６，３７から外蓋２２および第１側板２３に向かって凹状の切欠き３８，３９を形成することによって、切欠き部４０，４１が形成され、各切欠き部４０，４１を、開口を発生する方向（図３の紙面に対して奥行き方向）に折曲げて反転させ、各係合片展開板３６，３７を折曲げ線４２，４３で互いに近接する方向、すなわち内側に折り返すことによって、前記各係合片１１ａ，１１ｂが形成される。
【００４６】
前記底板２４の長手方向両端部には、フラップ４４，４５が連なって形成され、切欠き４６によって仕切り板４７が形成され、さらにのぞき穴４８、一対の差込み孔４９，５０、指穴５１が形成される。各フラップ４４，４５には、前記差込み孔４９，５０に嵌まり込む差込み部５２，５３が形成される。
【００４７】
前記第２側板２５の長手方向両端部には、中板５７，５８が連なって形成される。また前記第２側板２５の中央部には、前記内蓋２６に部分的に入り込む第１切欠き５９によって凸部６０が、またその内側でかつ隣接する内蓋２６にわたって切り欠かれた凹状の第２切欠き６１によって差込み板６２がそれぞれ形成される。
【００４８】
前記内蓋２６には、前記外蓋２２の第１のぞき穴３４に重なった状態で連通するように、円形ののぞき穴６３が形成される。前記内蓋２６には、前記第１仕切り板２７と第２仕切り板２８とが前記内蓋２６の前記第２側板２５とは反対側の一側縁辺に連なって形成される。
【００４９】
第２仕切り板２８には、前記内蓋２６に連なる一側縁辺から他側縁辺に向かう切欠き６４および打抜き穴６９（斜線部）によって、断面Ｌ字状の鉤状部６５と、前記鉤状部６５に連なるフラップ６７とが形成される。第２仕切り板２８は、折曲げ線９７を図３の紙面に対して奥行き側へ凸に折り曲げ、折曲げ線９８を手前側へ凸に折り曲げ、折曲げ線９９を手前側へ凸に折り曲げることによって、リモコンなどの付属部品を収納するための後述の凹状部９６が形成され、また折曲げ線１００を奥行き側へ凸に折り曲げることによって、前記凹状部９６を長手方向に仕切るフラップ６７が形成される。
【００５０】
このようなブランク２０は、単一枚の折り返し可能な薄板材料である段ボールを打ち抜き加工することによって形成される。前記段ボールは、波状の中芯の一表面に内装ライナを貼着して接合し、前記中芯の他表面に外装ライナを貼着して接合した３層構造の板紙によって実現される。また、本発明の実施の他の形態では、前記段ボールに代えて、ボール紙などの厚手紙を用いるようにしてもよい。
【００５１】
図４は、同梱ケース４の組み立て手順を示す斜視図であり、図４（１）は外蓋２２および各係合片展開板３６，３７を展開した状態を示し、図４（２）は各係合片展開板３６，３７を折畳んで外蓋２２を起立させた状態を示し、図４（３）は外蓋２２を閉じて同梱ケース４が組み立てられた状態を示す。図３をも参照して、同梱ケース４の組み立て手順について説明する。
【００５２】
同梱ケース４は、前述の図３に示される展開状態のブランク２０から図４（１）、図４（２）および図４（３）の順に組み立てられる。まず、ブランク２０から第２側板２５を折曲げ線７０に沿って底板２４に対して直角に折り曲げ、内蓋２６を第１および第２仕切り板２７，２８とともに第２側板２５に対して折曲げ線７１で内側に直角に折り曲げる。
【００５３】
また、第１仕切り板２７は、折曲げ線９５に沿って内側（図３の紙面に垂直手前側）に折り曲げ、さらに断面がＵ字状または凹状に湾曲させることによって、付属部品を収納するための収納空間９８を形成することができる。また、第２仕切り板２８は、前述したように各折曲げ線９７〜９９で折り曲げることによって、凹状部９６および鉤状部６５が形成される。このようにして凹状部９６の長手方向途中位置には、断面Ｌ字状の鉤状部６５が突出し、前記鉤状部６５には、前記凹状部９６を前記長手方向に対して垂直に仕切るフラップ６７が設けられるので、前記凹状部９６内に収納された付属部品を前記鉤状部６５によって支持されたフラップ６７によって大きな強度で支持することができるとともに、前記付属部品の変位を確実に阻止することができる。さらに前記付属部品が運搬時などに振動しても、前記付属部品の振動を緩衝して、付属部品の故障および損傷を防止することができる。このようにして図４（１）に示されるように、外蓋２２および各係合片展開板３６，３７が開いた状態に組み立てられる。
【００５４】
次に、係合片展開板３６，３７を折曲げ線４２，４３で内側にそれぞれ折り曲げた後、第１側板２３を底板２４に対して折曲げ線７２で直角に折り曲げて、図４（２）に示されるように起立させ、さらに外蓋２２を、既に内側に折り畳まれた各係合片展開板３６，３７とともに、第１側板２３に対して折曲げ線７３で折り曲げることによって、図４（３）に示されるように、係合片１１ａ，１１ｂを有する同梱ケース４が組み立てられる。
【００５５】
図５は、一方の係合片１１ａの組み立て手順を示す斜視図である。図５（１）は一方の係合片展開板３６付近を示し、図５（２）は切欠き部４０を切欠き３８から離脱させた状態を示し、図５（３）は切欠き部４０を反転させた状態を示し、図５（４）は係合片展開板３６を折曲げ線４２で折り曲げて起立させた状態を示し、図５（５）は係合片展開板３を外蓋２２および第１側板２３上に重なるように折り曲げて反転させた状態を示し、図５（６）は外蓋２２を第１側板２３に対して折曲げ線７３で折り曲げて、係合片１１ａが形成された状態を示す。
【００５６】
図５（１）に示されるように、係合片展開板３６は外蓋２２および第１側板２３に対してほぼ同一平面を成す展開状態から、図５（２）に示されるように、切欠き部４０を切欠き３８から押し出して離脱させ、外蓋２２および第１側板２３から突出させて、図５（３）に示されるように、外蓋２２および第１側板２３上に重なるように反転させる。
【００５７】
このような切欠き部４０は、外蓋２２と第１側板２３との間の折り返し線７３上で、外蓋２２の長手方向一端部の端面９０よりも係合片展開板３６の折り返し線４２寄りに距離Ｌ１だけ入り込んだ位置に係合片展開板３６に連なる折り返し線９１を有し、かつ前記折り返し線７３に平行な幅Ｂが、切欠き部４０の折り返し線９１から係合片展開板３６の折り返し線４２までの距離Ｌ２よりも小さく（Ｂ＜Ｌ２）選ばれる。
【００５８】
したがって前記切欠き部４０を図５（３）および図５（４）に示されるように、折り返して反転した状態では、切欠き部４０の前記係合片展開板３６に臨む先端部が折曲げ線４２よりもわずかに切欠き３８寄りに退避した位置に配置され、係合片展開板３６を折曲げ線４２で正確に、すなわち外蓋２２および第１側板２３の中芯２１の流れ方向ＭＤに垂直な方向ＴＤと、各折曲げ線４２，９１と、係合片展開板３６の中芯２１の流れ方向ＭＤに垂直な方向ＴＤとを平行にして、折り曲げたときの係合片展開板３６のずれを防止して、後述する高い剛性を有する補強積層体８０を実現することができる。
【００５９】
次に、図５（４）に示されるように、係合片展開板３６を折曲げ線４２から外蓋２２および第１側板２３側へ折り曲げて起立させ、図５（５）に示されるように、外蓋２２および第１側板２３上へ積重する。このとき、外蓋２２および第１側板２３を第１層とし、切欠き部４０を第２層とし、係合片展開板３６を第３層とする三重構造の補強積層体８０が形成される（図５（５）および図５（６）、参照）。
【００６０】
このようにして補強積層体８０が形成された状態で、図５（６）に示されるように、折曲げ線７３に関して、外蓋２２を前記補強積層体８０とともに第１側板２３に対して直角に折り曲げることによって、補強積層体８０によって一部が補強された剛性の高い係合片１１ａが、図５（６）の斜線を付した領域で示されるように形成される。なお、他方の係合片１１ｂもまた、前述の一方の係合片１１ａと同様に構成されるため、重複を避けて説明は省略する。
【００６１】
さらに、前記各係合片１１ａ，１１ｂは、図２、図５（５）および図５（６）に示されるように、前記同梱ケース本体１０から突出し、前記突出する方向に垂直な断面が前記同梱ケース本体１０から突出するにつれて減少する方向に傾斜する差込み案内部８５が形成され、容易に前記嵌合凹所１３に挿入することができるように構成されている。
【００６２】
以上のように本実施の形態によれば、底板２４によって実現される底部と、第１および第２側板２３，２５ならびに各フラップ４４，４５によって実現される周壁とを有する段ボール箱である同梱ケース４の一部が補強積層体８０によって補強される。
【００６３】
前記補強積層体８０は、前記外蓋２２および第１側板２３の一部を切欠いて形成される切欠き部４０を折り返すことによって、少なくとも三重に積層されるので、別部品を用いることなく、１枚のブランク２０に切欠き３８を形成し、周囲から分離された切欠き部４０を折り曲げて積層することによって、容易に形成することができる。これによって、部品点数を増加させずに、したがって製造工程を増加させずに、強度が向上された同梱ケース４を容易にかつ安価に実現することができる。
【００６４】
また、前記同梱ケース４に、前記緩衝部材５ａ，５ｂに係合する係合片１１ａ，１１ｂが形成され、各係合片１１ａ，１１ｂは前記補強積層体８０によって補強されているので、運搬時の衝撃などによって同梱ケース４に水平方向に大きな力が作用しても、各係合片１１ａ，１１ｂが各緩衝部材５ａ，５ｂに係合することによって、同梱ケース４は梱包ケース６内で前後方向および左右方向に位置決めされ、荷重に対して大きな強度で抗することができる。
【００６５】
さらに、前記係合片１１ａ，１１ｂは前記同梱ケース本体１０から突出し、前記突出する方向に垂直な断面がＬ字状に屈曲して形成されるので、係合片展開板３６，３７が外蓋２２および第１側板２３から図５（６）の矢符Ａで示されるように離反することはなく、これによって切欠き部４０，４１が切欠き３８，３９側へ戻ってしまうことが防がれ、３層構造の補強積層体８０を接着せずに維持することができ、製造を容易化し、高い生産性を実現することができる。
【図面の簡単な説明】
【００６６】
【図１】本発明の実施の一形態の梱包装置１を示す斜視図である。
【図２】同梱ケース４と下方の緩衝部材５ｄとを示す斜視図である。
【図３】同梱ケース４を展開したブランク２０を示す外装ライナを手前にした正面図である。
【図４】同梱ケース４の組み立て手順を示す斜視図であり、図４（１）は外蓋２２および各係合片展開板３６，３７を展開した状態を示し、図４（２）は各係合片展開板３６，３７を折畳んで外蓋２２を起立させた状態を示し、図４（３）は外蓋２２を閉じて同梱ケース４が組み立てられた状態を示す。
【図５】一方の係合片１１ａの組み立て手順を示す斜視図である。図５（１）は一方の係合片展開板３６付近を示し、図５（２）は切欠き部４０を切欠き３８から離脱させた状態を示し、図５（３）は切欠き部４０を反転させた状態を示し、図５（４）は係合片展開板３６を折曲げ線４２で折り曲げて起立させた状態を示し、図５（５）は係合片展開板３６を外蓋２２および第１側板２３上に重なるように折り曲げて反転させた状態を示し、図５（６）は外蓋２２を第１側板２３に対して折曲げ線７３で折り曲げて、係合片１１ａが形成された状態を示す。
【符号の説明】
【００６７】
１  梱包装置
２  被収容物
４  同梱ケース
５ａ，５ｂ，５ｃ，５ｄ  緩衝部材
６  梱包ケース
７  梱包ケース下箱
８  梱包ケース上箱
１０  同梱ケース本体
１１ａ，１１ｂ  係合片
１２  嵌合凹所
２０  ブランク
２２  外蓋
２３  第１側板
２４  底板
２５  第２側板
２６  内蓋
２７  第１仕切り板
２８  第２仕切り板
３０  差込みフラップ
３１，３８，３９  切欠き
３２  差込み板
３３  指穴
３４，３５  のぞき穴
３６，３７  係合片展開板
３８，３９  切欠き
４０，４１  切欠き部
４２，４３，７３  折曲げ線
４４，４５，６７  フラップ
６５  鉤状部
８０  補強積層体
８５  差込み案内部
９６  凹状部
ＭＤ  流れ方向
ＴＤ  流れ方向ＭＤに垂直な方向
【図１】
2007161272.tif 000003
【図２】
2007161272.tif 000004
【図３】
2007161272.tif 000005
【図４】
2007161272.tif 000006
【図５】
2007161272.tif 000007